(57)【特許請求の範囲】
【請求項１】
少なくとも１つの室内機ユニットと、
前記室内機ユニットを制御する制御装置と、
操作画面を表示する表示部と操作を入力する操作部とを有する操作装置と、を有し、
前記操作部は、お好みボタンを有し、
前記制御装置は、前記操作部への操作に基づいて、前記表示部に表示する項目を切り換えて、多層に関連付けられた操作項目を表示させ、操作項目が表示された状態で前記操作部が検出した操作に基づいて前記室内機ユニットの動作を制御し、
前記お好みボタンに対応付けられる操作項目に、操作開始画面から２回以上の操作を行うことで表示される項目を対応付けることができ、
前記操作開始画面の表示時に前記お好みボタンが操作された場合、前記お好みボタンに対応付けられたお好み機能の操作項目を表示させ、
前記制御装置は、前記操作装置で操作された操作項目の履歴を記憶した履歴データを有し、
前記お好みボタンに対応付けられるお好み機能の操作項目を設定する操作を検出した場合、前記履歴データに基づいて抽出した操作項目を表示させることを特徴とする空気調和システム。
【請求項２】
前記室内機ユニットを複数有し、
前記制御装置は、前記お好みボタンに対応付けられる操作項目に、複数の前記室内機ユニットのそれぞれに対する操作を対応付けることができることを特徴とする請求項１に記載の空気調和システム。
【請求項３】
前記制御装置は、前記お好みボタンに対応付けられる１つの操作項目に、複数の前記室内機ユニットのそれぞれに対する操作を対応付けることができることを特徴とする請求項２に記載の空気調和システム。
【請求項４】
前記制御装置は、前記操作開始画面の表示時に前記お好みボタンが操作された場合、前記お好みボタンに対応付けられたお好み機能の操作項目を複数表示させることを特徴とする請求項１から３のいずれか一項に記載の空気調和システム。
【請求項５】
前記お好みボタンに対応付けられるお好み機能の操作項目は、お好み機能の起動と停止を切り換える項目を含むことを特徴とする請求項１から４のいずれか一項に記載の空気調和システム。
【請求項６】
前記操作部は、前記表示部に積層されたタッチパネルを含み、
前記お好みボタンは、前記表示部とは重ならない位置に配置された物理スイッチであることを特徴とする請求項１から５のいずれか一項に記載の空気調和システム。
【発明の詳細な説明】
【技術分野】
【０００１】
本発明は、室内機ユニットと、室内機ユニットを制御する制御装置と、操作が入力される操作装置と、を備える空気調和システムに関する。
【背景技術】
【０００２】
空気調和システムは、室内機ユニットと、室内機ユニットを制御する制御装置と、操作が入力される操作装置とを有する。また、空気調和システムは、室内機ユニットに繋がって室外機ユニットも備える。空気調和システムは、使用者が操作装置に入力する操作に基づいて、制御装置が室内機ユニットの動作を制御することで、室内機ユニットが設置されている領域の冷暖房を行う。
【０００３】
空気調和システムでは、操作装置の入力方法を設定することで、操作性を改善しているシステムがある。例えば、特許文献１には、室内機と通信可能なリモコン装置に設定風速を選択する風速キーと、予め登録された運転モード、設定温度、及び、設定風速の運転条件で運転させる短縮キーを設け、短縮キーが選択された場合、短縮キーが選択された時の日付情報に対応する運転条件で運転することが記載されている。
【先行技術文献】
【特許文献】
【０００４】
【特許文献１】特開２０１４−２０６６０号公報
【発明の概要】
【発明が解決しようとする課題】
【０００５】
短縮機能を設けることで、使用者が求める設定に切り換えることはできる。ここで、近年では、空気調和システムで設定できる運転のモードが多岐にわたり、種々のモードに設定することができる。そのため、短縮モードの設定では、その時々に合わせた運転の切り換えを行うことが困難である。また、短縮モードで設定をした後、一部のモードを切り換える場合、そのメニューの操作に到達するために複数回の操作が必要となる場合があり、操作が煩雑となる。
【０００６】
本発明は上述した課題を解決するものであり、使用者が操作しやすい空気調和システムを提供することを目的とする。
【課題を解決するための手段】
【０００７】
上述の目的を達成するために、本発明の空気調和システムは、少なくとも１つの室内機ユニットと、前記室内機ユニットを制御する制御装置と、操作画面を表示する表示部と操作を入力する操作部とを有する操作装置と、を有し、前記操作部は、特定ボタンを有し、前記制御装置は、前記操作部への操作に基づいて、前記表示部に表示する項目を切り換えて、多層に関連付けられた操作項目を表示させ、操作項目が表示された状態で前記操作部が検出した操作に基づいて前記室内機ユニットの動作を制御し、前記特定ボタンに対応付けられる操作項目に、操作開始画面から２回以上の操作を行うことで表示される項目を対応付けることができ、前記操作開始画面の表示時に前記特定ボタンが操作された場合、前記特定ボタンに対応付けられた操作項目を表示させることを特徴とする。
【０００８】
また、前記室内機ユニットを複数有し、前記制御装置は、前記特定ボタンに対応付けられる操作項目に、複数の前記室内機ユニットのそれぞれに対する操作を対応付けることができることが好ましい。
【０００９】
また、前記制御装置は、前記特定ボタンに対応付けられる１つの操作項目に、複数の前記室内機ユニットのそれぞれに対する操作を対応付けることができることが好ましい。
【００１０】
また、前記制御装置は、前記特定ボタンに対応付けられる操作項目に、複数の操作項目を対応付けることができることが好ましい。
【００１１】
また、前記制御装置は、前記特定ボタンに対応付けられる１つの操作項目に、複数の操作項目を対応付けることができることが好ましい。
【００１２】
また、前記制御装置は、前記操作装置で操作された操作項目の履歴を記憶した履歴データを有し、前記特定ボタンに対応付けられる操作項目を設定する操作を検出した場合、前記履歴データに基づいて抽出した操作項目を表示させることが好ましい。
【００１３】
また、前記特定ボタンに対応付けられる操作項目は、機能の起動と停止を切り換える項目であることが好ましい。
【００１４】
また、前記操作部は、前記表示部に積層されたタッチパネルを含み、前記特定ボタンは、前記表示部とは重ならない位置に配置された物理スイッチであることが好ましい。
【発明の効果】
【００１５】
本発明によれば、使用者が操作しやすくすることができる。
【図面の簡単な説明】
【００１６】
【図１】図１は、本発明の実施形態に係る空気調和システムの概略構成を示す模式図である。
【図２】図２は、操作装置の一例を示す模式図である。
【図３】図３は、制御装置の一例を示すブロック図である。
【図４】図４は、空気調和システムの動作の一例を説明するための説明図である。
【図５】図５は、空気調和システムの動作の一例を説明するための説明図である。
【図６】図６は、空気調和システムの動作の一例を示すフローチャートである。
【図７】図７は、空気調和システムの動作の一例を説明するための説明図である。
【図８】図８は、空気調和システムの動作の一例を示すフローチャートである。
【図９】図９は、空気調和システムの動作の一例を説明するための説明図である。
【図１０】図１０は、空気調和システムの動作の一例を説明するための説明図である。
【図１１】図１１は、空気調和システムの動作の一例を説明するための説明図である。
【図１２】図１２は、空気調和システムの動作の一例を示すフローチャートである。
【図１３】図１３は、他の実施形態に係る空気調和システムの概略構成を示す模式図である。
【発明を実施するための形態】
【００１７】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００１８】
図１は、本発明の実施形態に係る空気調和システムの概略構成を示す模式図である。本実施形態の空気調和システム１０は、１つの部屋８に複数の室内機ユニットが配置されている。なお、図１に示す空気調和システム１０は、２つの室内機ユニットを示したが、室内機ユニットの数は特に限定されない。
【００１９】
図１に示す空気調和システム１０は、室内機ユニット１２ａ、１２ｂと、室外機ユニット１４ａ、１４ｂと、操作装置１６ａ、１６ｂと、制御装置１８と、を有する。以下において、室内機ユニット１２ａ、１２ｂ、室外機ユニット１４ａ、１４ｂ、操作装置１６ａ、１６ｂを区別する必要がない時は、それぞれ、室内機ユニット１２、室外機ユニット１４、操作装置１６として説明する。
【００２０】
室内機ユニット１２ａ、１２ｂは、同じ部屋８の異なる位置に設置されている。室内機ユニット１２は、基本的に屋内に設置されており、屋内に温度や湿度を調整した空気を供給し、冷房、暖房、除湿等を行う。本実施形態の室内機ユニット１２は、部屋８の天井に配置されている。
【００２１】
室外機ユニット１４ａは、室内機ユニット１２ａに接続している。室外機ユニット１４ｂは、室内機ユニット１２ｂに接続している。室外機ユニット１４は、部屋８の外、基本的に屋外に配置されている。室外機ユニット１４は、冷媒（熱媒）を加熱または冷却して、室内機ユニット１２との間で冷媒（熱媒）を循環させることで、室内機ユニット１２での冷房機能、暖房機能、除湿機能を実現させる。また、本実施形態では、室内機ユニット１２ａ、１２ｂのそれぞれに１つの室外機ユニット１４を設けたが、１つの室外機ユニットが複数の室内機ユニットに対応して配置されていてもよい。
【００２２】
操作装置１６ａ、１６ｂは、使用者が操作を入力する機器である。なお、本実施形態では、操作装置１６ａ、１６ｂを２つ設けたが１つでもよい。また、操作装置１６ａ、１６ｂの数と室内機ユニット１２ａ、１２ｂの数は、一致していても異なっていてもよい。つまり、操作装置１６の数は、室内機ユニット１２の数より少なくても、同じでも多くてもよい。操作装置１６は、部屋８の壁に設置された端末である。操作装置１６は、冷房、乾燥、除湿、暖房等のモードや、設定温度、風量、風向、始動タイマー、停止タイマー等の種々の操作を入力することができる機器である。操作装置１６は、制御装置１８に接続し、入力された操作を制御装置１８に送る。
【００２３】
操作装置１６は、画像を表示する表示部と操作を入力する操作部とを有する。図２は、操作装置の一例を示す模式図である。操作装置１６は、図２に示すように、筐体３０と、タッチパネル式表示装置３２と、操作ボタン３４と、お好みボタン３６ａ、３６ｂと、を有する。操作装置１６は、タッチパネル式表示装置３２が、表示部と操作部の両方の機能を備え、操作ボタン３４と、お好みボタン３６ａ、３６ｂとが操作部の機能を備える。
【００２４】
筐体３０は、部屋８の壁に設置されている。筐体３０は、タッチパネル式表示装置３２と、操作ボタン３４と、お好みボタン３６ａ、３６ｂと、が配置されている。筐体３０は、開閉可能な蓋を設け、タッチパネル式表示装置３２を覆うようにしてもよい。
【００２５】
タッチパネル式表示装置３２は、操作を検出するタッチパネルと画像を表示する表示装置とが積層されている。タッチパネル式表示装置３２は、画面上にメニューボタン４０と、基本項目ユニット４２と、メッセージ表示欄４４と、を有する。メニューボタン４０は、使用者が詳細設定を行う場合に操作するボタンである。操作装置１６は、メニューボタン４０が操作されると詳細設定の項目を表示させる。基本項目ユニット４２は、運転モード、タイマー設定、設定温度、風向、風量のそれぞれの項目に対応するボタンが表示されている。各ボタンには、現状の設定の情報も表示されている。操作装置１６は、基本項目ユニット４２のボタンが操作されると、操作された項目の設定画面を表示させる。メッセージ表示欄４４は、現状の運転で通知が必要な情報を表示する。図２では、運転中であることを示す「運転中です」という文言が表示されている。操作装置１６は、タッチパネル式表示装置３２を用いたが、表示部と操作部を別々にしてもよい。例えば、表示部に隣接して複数のボタンを配置し、各ボタンに対応する表示部に操作項目を表示させて、各種機能に対する操作を入力できるようにしてもよい。
【００２６】
操作ボタン３４と、お好みボタン３６ａ、３６ｂとは、タッチパネル式表示装置３２と重ならない位置に配置されている。操作ボタン３４と、お好みボタン３６ａ、３６ｂとは、押されること等の物理的変化を検出する物理スイッチであり、筐体３０に固定されている。操作ボタン３４は、室内機ユニット１２の運転（稼働）、停止を切り換える操作が対応付けられたボタンである。お好みボタン３６ａ、３６ｂは、後述するお好み操作で設定された操作項目を表示させる画面を表示させる操作や、お好み操作で設定された操作項目の起動、停止、つまりＯＮとＯＦＦを切り換える操作が対応付けられる。お好みボタン３６ａ、３６ｂについては、後述する。
【００２７】
図３は、制御装置の一例を示すブロック図である。制御装置１８は、空気調和システム１０の各部の動作を制御する。制御装置１８は、演算処理機能や記憶機能を備えている。制御装置１８は、図３に示すように運転制御部５０と、お好み機能設定部５２と、お好み機能テーブル５４と、履歴データ５６と、を有する。
【００２８】
運転制御部５０は、室内機ユニット１２の動作を制御する。つまり、運転制御部５０は、設定に基づいて、室内機ユニット１２と室外機ユニット１４の動作を制御し、室内機ユニット１２の風量、風向、温風を送るか冷風を送るか風を送るだけか等を制御する。
【００２９】
お好み機能設定部５２は、お好み機能の設定を行う。具体的には、操作装置１６に入力される操作に基づいて、操作項目とお好み機能との対応付けを行う。お好み機能は、空気調和ユニットが実行可能な各種モード（操作項目）の中から選択され設定された操作項目である。お好み機能設定部５２は、お好み機能の設定時に、お好み機能テーブル５４に記憶されている各種制約条件に基づいて、設定可能な条件を抽出し、抽出可能な条件から設定された操作項目をお好み機能に設定する。
【００３０】
お好み機能テーブル５４は、お好み機能の設定に必要な情報を記憶している。具体的には、空気調和システム１０の多数の操作項目のうち、お好み機能に設定可能な操作項目の情報を記憶している。お好み機能テーブル５４は、空気調和システム１０の多数の操作項目のうち、起動、停止の切り換え操作を行う操作項目のみを記憶している。また、お好み機能テーブル５４は、設定された操作項目とお好みボタン３６ａ、３６ｂの対応付けや、設定された操作項目とタッチパネル式表示装置３２に表示させる項目との対応付けを記憶する。履歴データ５６は、操作装置１６に入力された各種操作の履歴を記憶している。
【００３１】
次に、図４から図１１を用いて空気調和システム１０の動作について説明する。具体的には、空気調和システム１０のお好み機能及びその設定動作について説明する。図４は、空気調和システムの動作の一例を説明するための説明図である。図５は、空気調和システムの動作の一例を説明するための説明図である。図６は、空気調和システムの動作の一例を示すフローチャートである。図７は、空気調和システムの動作の一例を説明するための説明図である。図８は、空気調和システムの動作の一例を示すフローチャートである。図９から図１１は、それぞれ空気調和システムの動作の一例を説明するための説明図である。
【００３２】
まず、図４を用いて、運転モードを切り換える場合の制御の一例について説明する。図４は、タッチパネル式表示装置３２に表示させる項目の遷移を示す図である。図４に示す画面遷移は一例である。制御装置１８は、まずトップ画面を表示させる。ここで、トップ画面とは、操作が入力されていない場合に表示される初期画面である。トップ画面は、操作開始画面といえる。トップ画面は、起動直後や、ブラックアウトした画面を復帰させる際に表示される画面である。制御装置１８は、トップ画面に項目ユニット１００を表示させる。項目ユニット１００は、メインボタン、メニューボタン、運転ボタン、お好みボタンを表示させる。メインボタンは、図２に示す画面を表示する操作が対応付けられている。メニューボタンは、設定されているメニューの項目を表示させる操作が対応付けられている。運転ボタンは、空気調和システム１０の運転、停止を切り換える操作が対応付けられている。お好みボタンについては後述する。ここで、制御装置１８は、操作ボタン３４を運転ボタンとし、お好みボタン３６ａ、３６ｂをお好みボタンとし、タッチパネル式表示装置３２には、画像のボタンを表示させなくてもよい。
【００３３】
制御装置１８は、項目ユニット１００を表示した状態で、メニューボタンが操作されると項目ユニット１０２を表示させる。項目ユニット１０２は、操作項目として、省エネ設定、グリル昇降、フリーフロー設定、換気、見てみて、次へ（メニュー２へ）が含まれる。
【００３４】
制御装置１８は、項目ユニット１０２を表示した状態で、次へ（メニュー２へ）が操作されると項目ユニット１０４を表示させる。項目ユニット１０４は、操作項目として、お掃除パネル設定、フィルタサインリセット、初期設定、タイマー設定、ウィークリー設定、次へ（メニュー３へ）が含まれる。
【００３５】
制御装置１８は、項目ユニット１０４を表示した状態で、次へ（メニュー３へ）が操作されると項目ユニット１０６を表示させる。項目ユニット１０６は、操作項目として、留守番運転、管理者設定、据付設定、リモコン設定、室内設定が含まれる。
【００３６】
制御装置１８は、項目ユニット１０６を表示した状態で、留守番運転が操作されると項目ユニット１０８を表示させる。項目ユニット１０８は、操作項目として、留守番運転の起動が対応付けられた「開始」が含まれる。制御装置１８は、項目ユニット１０８を表示した状態で、開始が操作されると、留守番運転を開始する。
【００３７】
図４に示すように、空気調和システム１０は、留守番運転を起動させる場合、操作装置１６に５回の操作を入力することになる。また、メニューの項目のどこに、留守番運転の操作項目が表示されるかがわかっている場合、すぐに処理することができるが、メニューを探しながら操作する場合、操作に時間がかかる。
【００３８】
次に、図５を用いて、お好み機能で設定したお好みボタンを用いて運転モードを切り換える制御及びお好みボタンの設定処理の一例について説明する。図５に示す例は、お好みボタンの操作項目に、留守番運転が設定されている場合として説明する。
【００３９】
制御装置１８は、まずトップ画面を表示させる。制御装置１８は、トップ画面に項目ユニット１１０を表示させる。項目ユニット１１０は、項目ユニット１００と同じメインボタン、メニューボタン、運転ボタン、お好みボタンを表示させる。
【００４０】
制御装置１８は、項目ユニット１１０を表示した状態で、お好みボタンが操作されると項目ユニット１１２を表示させる。項目ユニット１１２は、操作項目として、お好み機能として設定された留守番運転の開始、終了を切り換える開始／終了、お好みボタンを設定する操作を行うお好みボタン設定が含まれる。制御装置１８は、項目ユニット１１２を表示した状態で、開始／終了が操作されると、留守番運転を行っていない場合留守番運転を開始し、留守番運転を行っている場合留守番運転を停止する。
【００４１】
また、制御装置１８は、項目ユニット１１２を表示した状態で、お好みボタン設定が操作されると、項目ユニット１１４を表示させる。項目ユニット１１４は、操作項目として、お好み機能として設定する操作項目を設定する機能設定と、機能設定を行う対象の室内機ユニットを選択する対象室内機選択と、を含む。
【００４２】
次に、図６を用いて、お好みボタンが操作された場合の動作について説明する。図６に示す処理は、制御装置１８が操作装置１６で検出した操作に基づいて処理を実行することで実現することができる。
【００４３】
制御装置１８は、トップ画面を表示する（ステップＳ３０）。この処理は図５の項目ユニット１１０の表示に対応する。制御装置１８は、トップ画面を表示させたら、お好みボタンの操作ありかを判定する（ステップＳ３２）。ここで、お好みボタンは、お好みボタン３６ａ、３６ｂに加え、トップ画面に表示させるお好みボタンも含む。制御装置１８は、お好みボタンの操作なし（ステップＳ３２でＮｏ）と判定した場合、本処理を終了する。
【００４４】
制御装置１８は、お好みボタン操作あり（ステップＳ３２でＹｅｓ）と判定した場合、お好み操作画面を表示する（ステップＳ３４）。この処理は、図５の項目ユニット１１２の表示に対応する。
【００４５】
制御装置１８は、お好み操作画面を表示させたら、開始、終了ボタンの操作ありかを判定する（ステップＳ３６）。つまり、お好み操作画面に表示させているお好み機能の開始、終了ボタンの操作があるかを判定する。
【００４６】
制御装置１８は、開始、終了ボタンの操作あり（ステップＳ３６でＹｅｓ）と判定した場合、お好み機能に設定されているモードの運転の稼働、停止を切り換える（ステップＳ３８）。
【００４７】
制御装置１８は、開始、終了ボタンの操作なし（ステップＳ３６でＮｏ）と判定した場合、設定ボタン（お好みボタン設定のボタン）の操作があるかを判定する（ステップＳ４０）。制御装置１８は、設定ボタンの操作なし（ステップＳ４０でＮｏ）と判定した場合、本処理を終了する。
【００４８】
制御装置１８は、設定ボタンの操作あり（ステップＳ４０でＹｅｓ）と判定した場合、お好み機能を設定する設定処理を実行する（ステップＳ４２）。
【００４９】
空気調和システム１０は、このようにお好みボタンを設け、お好みボタンの操作で、お好みボタンに対応付けた操作の起動、停止を切り換えることで、使用者は、お好みボタンを操作するのみで、操作を行うことができる。これにより、使用者は、簡単に設定した操作項目のＯＮ、ＯＦＦを切り換えることができる。つまり、図４に示すようにメニューから項目を選択せずに、より少ない操作回数で、所望の操作を行うことができる。
【００５０】
ここで、制御装置１８は、複数の操作項目（機能）をお好み機能の対象とする。お好み機能の操作項目は、対象の操作の起動と停止を切り換える操作が対象となる。お好み機能の操作項目としては、ハイパワー運転、省エネ運転、ユーザ設定運転、ピークカット運転、グリル昇降、換気、留守番運転、静音運転、フィルタサインリセット、見てみてが例示される。ハイパワー運転は、運転能力を一時的に上げ、短時間で設定温度まで空調するモードである。具体的には、圧縮機の回転数と風量を上げ、能力を上げる運転である。省エネ運転は、冷房時は２８℃、暖房時は２２℃に固定し、室外温度により能力を自動的にコントロールし、快適性を損なわずに省エネ運転をするモードである。なお、温度は、一例である。具体的には、室外温度と設定室温に応じて、成績係数が最大となる運転を行うように圧縮機の回転数、風量、風向を制御する。ユーザ設定運転は、予め使用者が設定した、設定温度、風量、運転モードで運転するモードである。ピークカット運転は、消費電力を抑えた運転である。グリル昇降は、吸込みグリルの昇降を行うモードである。換気は、換気運転を行うモードである。留守番運転は、部屋を所定温度よりも高温にならず、所定温度よりも低温にならないように温度を保つ運転モードである。高温、低温の基準となる所定温度の間には、一定の差がある。静音運転は、静音性を優先して運転するモードである。具体的には、圧縮機の回転数を制限し、風量を制限する。フィルタサインリセットは、エアーフィルターの清掃時期を通知する室内機ユニットの延べ運転時間が設定時間に達すると表示するフィルター掃除をリセットする操作を入力するモードである。見てみては、運転時間、消費電力量などを確認できるモードである。選択されると、室内温度（吸込温度）、室外温度、運転時間、消費電力量等を表示させる。
【００５１】
制御装置１８は、お好み機能を複数設定し、お好み操作画面に複数の操作項目を表示させるようにしてもよい。この場合、制御装置１８は、操作装置１６に図７に示すような画面１３０を表示させる。画面１３０は、操作項目１３２、１３４、１３６と、戻るボタン１３８が含まれる。また、操作項目１３２、１３４、１３６には、開始ボタン１４０、設定ボタン１４２が含まれる。なお、画面１３０は、お好みボタンを設定する操作を行うお好みボタン設定を表示させてもよい。開始ボタン１４０は、操作項目１３２、１３４、１３６を開始する操作に対応付けられたボタンである。設定ボタン１４２は、後述する操作項目をお好みボタン３６ａ、３６ｂに対応付ける処理を行う場合に選択される。
【００５２】
次に、図８から図１１を用いて、お好み機能の設定処理について説明する。制御装置１８は、設定画面を表示させる（ステップＳ６０）。ここで、設定画面は、例えば、図９に示す画面１５０のように、お好み機能として設定できる操作項目を表示させる画面である。
【００５３】
制御装置１８は、設定画面を表示させたら、機能設定操作があるかを判定する（ステップＳ６２）。制御装置１８は、機能設定操作がない（ステップＳ６２でＮｏ）と判定した場合、ステップＳ７０に進む。制御装置１８は、機能設定操作がある（ステップＳ６２でＹｅｓ）と判定した場合、つまり操作項目が選択されたと判定した場合、機能設定された項目を操作項目（お好み機能の操作対象の項目）に設定する（ステップＳ６４）。
【００５４】
制御装置１８は、機能設定された項目を操作項目に設定したら、対象室内機は特定済みかを判定する（ステップＳ６６）。つまり、操作項目の機能を実行する対象の室内機ユニットが設定されているかを判定する。
【００５５】
制御装置１８は、対象室内機が特定済みではない（ステップＳ６６でＮｏ）と判定した場合、対象の室内機を設定する処理を実行し（ステップＳ６８）、ステップＳ７４に進む。対象の室内機を設定する処理とは、室内機ユニットを表示し、その室内機ユニットから対象の室内機ユニットを選択させる処理である。
【００５６】
制御装置１８は、対象室内機が特定済みである（ステップＳ６６でＹｅｓ）と判定した場合、またはステップＳ６２でＮｏと判定した場合、対象室内機の設定操作があるかを判定する（ステップＳ７０）。
【００５７】
制御装置１８は、対象室内機の設定操作がない（ステップＳ７０でＮｏ）と判定した場合、ステップＳ７４に進む。制御装置１８は、対象室内機の設定操作がある（ステップＳ７０でＹｅｓ）と判定した場合、対象の室内機の設定処理を行う（ステップＳ７２）。例えば、図１０に示す画面１５２を表示させた状態で、室内機選択のボタンが操作されると、室内機を選択する画面１５４を表示させる。画面１５２は、操作項目としてハイパワー運転を設定する画面である。画面１５４は、室内機ユニットが対応付けられたナンバーのボタンが表示されている。制御装置１８は、画面１５４を表示している状態で、室内機ユニットのナンバーが選択され、その後決定ボタンが押されると、選択された室内機ユニットとハイパワー運転とがお好み機能として対応付けられる。
【００５８】
制御装置１８は、ステップＳ６８またはステップＳ７２の処理を行った場合、処理終了かを判定する（ステップＳ７４）。制御装置１８は、処理終了ではない（ステップＳ７４でＮｏ）と判定した場合、ステップＳ６２に戻り、ステップＳ６２からステップＳ７４の処理を行う。制御装置１８は、処理終了である（ステップＳ７４でＹｅｓ）と判定した場合、実行された操作に合わせてお好み機能の設定を更新する（ステップＳ７６）。
【００５９】
空気調和システム１０は、このように、お好み機能の操作項目を設定可能とすることで、使用者が所望の操作をお好みボタンに対応つけた機能に設定することができる。また、対象の操作を起動、停止を切り換える操作のみとすることで、操作を簡単にすることができ、表示画面を統一することができ、使用者にわかりやすくすることができる。
【００６０】
空気調和システム１０は、複数の室内機ユニットの中から、設定を行う室内機ユニットを選択し、その選択結果を操作項目として設定することで、所望の室内機ユニットを所望のモードで起動する操作を一度に行うことができる。また、空気調和システム１０は、複数の室内機ユニットのそれぞれに別々の機能を対応付けて設定することもできる。これにより、使用者が、予め設定をしておくのみで、簡単にモードの起動、停止を切り換えることができる。
【００６１】
ここで、制御装置１８は、履歴データ５６に基づいて最近利用し、かつお好み機能に設定可能な操作項目を抽出し、お好み機能の設定時に、対象の操作項目として表示させてもよい。例えば、制御装置１８は、図１１に示す画面１６０を表示させ、表示した操作項目からお好み機能に設定する操作項目を決定してもよい。これにより、メニューの表示から検索せずに、実際に使用した操作項目をお好み機能に設定することができ、使用者が簡単にお好み機能を設定することができる。
【００６２】
図１２は、空気調和システムの動作の一例を示すフローチャートである。ここで、空気調和システム１０は、お好みボタン３６ａ、３６ｂにお好み機能の操作項目を対応付けることもできる。制御装置１８は、お好み機能の設定時に、図１２に示す処理を行う。制御装置１８は、操作部のお好みボタン３６ａ、３６ｂへの設定があるかを判定する（ステップＳ９０）。制御装置１８は、設定がない（ステップＳ９０でＮｏ）と判定した場合、そのまま処理を終了する。制御装置１８は、設定がある（ステップＳ９０でＹｅｓ）と判定した場合、対象の操作を操作部のお好みボタン３６ａ、３６ｂの操作に設定する（ステップＳ９２）。つまり制御装置１８は、お好み機能の特定された操作項目を、お好みボタン３６ａ、３６ｂのいずれかに対応付ける。例えば、上述した設定ボタン１４２が操作されたお好み機能の特定された操作項目を、お好みボタン３６ａ、３６ｂのいずれかに対応付ける。
【００６３】
制御装置１８は、お好みボタン３６ａ、３６ｂにお好み機能の特定された操作項目を対応付けることで、使用者は、お好みボタン３６ａ、３６ｂを操作するだけで、所望の操作項目の起動、停止を切り換えることができる。これにより、使用者は、設定した所望の操作項目の起動、停止を簡単に切り換えることができる。また、お好みボタン３６ａ、３６ｂに特定の操作を対応付けても、タッチパネル式表示装置３２にお好みボタンを表示させることで、上述したタッチパネル式表示装置３２に設定したお好み機能を表示させる操作を実行することができる。
【００６４】
ここで、図１の空気調和システム１０は、制御装置１８と他の装置と別体としたがこれに限定されない。図１３は、他の実施形態に係る空気調和システムの概略構成を示す模式図である。空気調和システム１０ａは、部屋８に２つの室内機ユニット１２と、操作装置１６ｃと、を有する。また、空気調和システム１０ａは、図示を省略したが、空気調和システムと同様に室外機ユニットも有する。空気調和システム１０ａの操作装置１６ｃは、２つの室内機ユニット１２及び室外機ユニットの動作を制御する。また、操作装置１６ｃは、制御装置１８の機能を備えている。つまり、空気調和システム１０ａの操作装置１６ｃは、空気調和システム１０の操作装置の機能と制御装置の機能との両方を備えている。このように、操作装置と制御装置を１つの装置としてもよい。
【符号の説明】
【００６５】
８  部屋
１０、１０ａ  空気調和システム
１２、１２ａ、１２ｂ  室内機ユニット
１４、１４ａ、１４ｂ  室外機ユニット
１６、１６ａ、１６ｂ、１６ｃ  操作装置
１８  制御装置
３０  筐体
３２  タッチパネル式表示装置
３４  操作ボタン
３６ａ、３６ｂ  お好みボタン
５０  運転制御部
５２  お好み機能設定部
５４  お好み機能テーブル
５６  履歴データ
【図１】
0006472234.tif 000002
【図２】
0006472234.tif 000003
【図３】
0006472234.tif 000004
【図４】
0006472234.tif 000005
【図５】
0006472234.tif 000006
【図６】
0006472234.tif 000007
【図７】
0006472234.tif 000008
【図８】
0006472234.tif 000009
【図９】
0006472234.tif 000010
【図１０】
0006472234.tif 000011
【図１１】
0006472234.tif 000012
【図１２】
0006472234.tif 000013
【図１３】
0006472234.tif 000014